(57)【特許請求の範囲】
【請求項１】
釣糸を前方に繰り出す電動リールであって、
第１リール本体部、第２リール本体部、及び釣竿装着部を有するリール本体と、
前記第１リール本体部と前記第２リール本体部との間に配置されるスプールと、
前記スプールを回転駆動するモータと、
前記第１リール本体部において前記釣竿装着部と反対側の面に配置され、前記モータの出力を調整するために使用者に操作される調整部材と、
前記リール本体に回転可能に装着され、前記スプールを回転させるためのハンドルと、
前記ハンドルと前記スプールとの間で回転を伝達する伝達状態及び前記回転の伝達を遮断する遮断状態に切り替わるクラッチ機構と、
前記第１リール本体部と前記スプール外周部とに沿って前記調整部材に近接して配置され、前記クラッチ機構を伝達状態にするために使用者に操作されるクラッチ入り操作部と、
を備え、
前記調整部材と前記クラッチ入り操作部とは、軸方向に並んでいる、
電動リール。
【請求項２】
前記クラッチ機構は、前記クラッチ入り操作部を前方に向かって移動させることによって、前記伝達状態となる、
請求項１に記載の電動リール。
【請求項３】
前記クラッチ入り操作部は、径方向視において、前記第１リール本体部と少なくとも一部が重なる、
請求項１又は２に記載の電動リール。
【請求項４】
前記スプールの後方に配置され且つ前記第１リール本体部と前記第２リール本体部との間を延びるクラッチ切操作部をさらに備える、
請求項１から３のいずれかに記載の電動リール。
【請求項５】
周方向において、前記クラッチ入り操作部は、前記第１リール本体部に沿って前記クラッチ切操作部から前記調整部材まで延びる、
請求項４に記載の電動リール。
【請求項６】
前記クラッチ入り操作部は、前記第２リール本体部に向かって突出する、
請求項１から５のいずれかに記載の電動リール。
【請求項７】
前記調整部材は、回転可能に前記第１リール本体部に取り付けられる、
請求項１から６のいずれかに記載の電動リール。
【請求項８】
前記調整部材は、前記第１リール本体部から少なくとも一部が突出している、
請求項１から７のいずれかに記載の電動リール。
【請求項９】
前記クラッチ入り操作部は、回転軸周りに揺動可能である、
請求項１から８のいずれかに記載の電動リール。
【発明の詳細な説明】
【技術分野】
【０００１】
本発明は、電動リールに関するものである。
【背景技術】
【０００２】
小型の電動リールにおいて、スプールをサミングする指でモータの出力を調整するために、スプールフランジの近傍に調整部材を配置し、かつ、クラッチの戻し操作をハンドルの回転操作によらず操作可能としたものが知られている。
【先行技術文献】
【特許文献】
【０００３】
【特許文献１】特開２０１３−２１９６９号公報
【特許文献２】特開２０１４−１０００７８号公報
【発明の概要】
【発明が解決しようとする課題】
【０００４】
特許文献１に記載された電動リールでは、調整部材とクラッチ入り操作部材を左右の側板それぞれの内壁に配置している。このため、一方の操作に続いて他方の操作をするときには、側板間を大きく指を移動させるか、左右両手の指で操作しなくてはならない。
【０００５】
特許文献２の電動リールでは、クラッチ入り操作部がクラッチ操作部材の後面に設けられている。このため、連続的に操作するためにはクラッチ操作部材をまたいで指を動かす必要がある。
【０００６】
本発明の課題は、電動リールにおいて、調整部材及びクラッチ操作部材を連携して操作しやすくすることにある。
【課題を解決するための手段】
【０００７】
本発明のある側面に係る電動リールは、釣糸を前方に繰り出す。この電動リールは、リール本体、スプール、モータ、調整部材、ハンドル、クラッチ機構、及びクラッチ入り操作部を備える。リール本体は、第１リール本体部、第２リール本体部、及び釣竿装着部を有する。スプールは、第１リール本体部と第２リール本体部との間に配置される。モータは、スプールを回転駆動する。調整部材は、モータの出力を調整するために使用者に操作される。調整部材は、第１リール本体部において釣竿装着部と反対側の面に配置される。ハンドルは、リール本体に回転可能に装着される。ハンドルは、スプールを回転させる。クラッチ機構は、伝達状態と遮断状態とに切り替わる。伝達状態では、クラッチ機構は、ハンドルとスプールとの間で回転を伝達する。遮断状態では、クラッチ機構は、ハンドルとスプールとの間で回転の伝達を遮断する。クラッチ入り操作部は、クラッチ機構の状態を伝達状態にするために使用者に操作される。クラッチ入り操作部は第１リール本体部とスプール外周部とに沿って調整部材に近接して配置される。
【０００８】
この構成によれば、クラッチ入り操作部が調整部材に近接して配置されている。このため、クラッチ入り操作部と調整部材とを連携して操作する際の指の移動距離が短くなり、操作しやすくなる。
【０００９】
好ましくは、クラッチ入り操作部を前方に向かって移動させることによって、クラッチ機構は伝達状態となる。
【００１０】
好ましくは、クラッチ入り操作部は、径方向視において、第１リール本体部と少なくとも一部が重なる。
【００１１】
好ましくは、電動リールは、クラッチ切操作部をさらに備える。クラッチ切操作部は、スプールの後方に配置される。また、クラッチ切操作部は、第１リール本体部と第２リール本体部との間を延びる。
【００１２】
好ましくは、周方向において、クラッチ入り操作部は、第１リール本体部に沿ってクラッチ切操作部から調整部材まで延びる。
【００１３】
好ましくは、クラッチ入り操作部は、第２リール本体部に向かって突出する。
【００１４】
好ましくは、調整部材は、回転可能に第１リール本体部に取り付けられる。
【００１５】
好ましくは、調整部材は、第１リール本体部から少なくとも一部が突出している。
【００１６】
好ましくは、クラッチ入り操作部は、回転軸周りに揺動可能である。
【発明の効果】
【００１７】
本発明によれば、電動リールにおいて、調整部材及びクラッチ入り操作部を連携して操作しやすい。
【図面の簡単な説明】
【００１８】
【図１】電動リールの斜視図。
【図２】電動リールの平面図。
【図３】電動リールの分解図。
【図４】図２のＩV−ＩV線断面図。
【図５】図２のV−V線断面図。
【発明を実施するための形態】
【００１９】
以下、本発明に係る電動リールの実施形態について図面を参照しつつ説明する。図１は電動リールの斜視図である。なお、以下の説明において、軸方向とは、スプールの回転軸が延びる方向、すなわち、スプール軸の延びる方向を意味する。また、径方向とは、スプールの回転軸を中心とした円の径方向を示し、周方向とは、スプールの回転軸を中心とした円の周方向を示す。また、径方向視とは、径方向に沿って見た状態を意味する。
【００２０】
図１に示すように、電動リール１００は、前方に釣糸を繰り出すように構成されている。この電動リール１００は、リール本体１、スプール２、モータ３（図２参照）、調整部材４、ハンドル５、クラッチ機構６（図４参照）、及びクラッチ操作部材７を備えている。また、電動リール１００は、スプール軸２０（図４参照）、及びリンク機構８（図３参照）も備えている。
【００２１】
リール本体１は、第１リール本体部１１と、第２リール本体部１２と、釣竿装着部１３と、を有している。第１リール本体部１１と第２リール本体部１２とは、軸方向に互いに間隔をあけて配置されている。詳細には、第１リール本体部１１はスプール２の第１端部側に配置され、第２リール本体部１２はスプール２の第２端部側に配置される。第１リール本体部１１と第２リール本体部１２とは、互いに連結部１４（図４参照）を介して連結されている。
【００２２】
図２に示すように、第１リール本体部１１は、第１側板１１ａと、第１カバー１１ｂとを有している。第１リール本体部１１は、内部に収容空間を有している。この収容空間は、第１側板１１ａと第１カバー１１ｂとによって画定される。
【００２３】
図３に示すように、収容空間内には、回転伝達機構１０１が収容されている。回転伝達機構１０１は、ハンドル５の回転をスプール２などに伝達する機構である。回転伝達機構１０１は、ハンドル５と一体的に回転する駆動軸１０１ａ、駆動軸１０１ａと一体的に回転する駆動ギア１０１ｂ、及び駆動ギア１０１ｂと噛み合うピニオンギア１０１ｃを有している。
【００２４】
図４に示すように、第２リール本体部１２は、第２側板１２ａと、第２カバー１２ｂと、を有している。第２側板１２ａは、連結部１４を介して、第１側板１１ａと接続されている。この第１側板１１ａと第２側板１２ａと連結部１４とは、一体的に形成されており、リール本体１のフレームを構成している。例えば、第１側板１１ａ、第２側板１２ａ、及び連結部１４は、アルミ合金でダイキャスト成形によって一体的に形成されている。
【００２５】
図３に示すように、釣竿装着部１３は、釣竿に装着されるように構成されている。釣竿装着部１３は、前後方向に延びている。釣竿装着部１３は、連結部１４に取り付けられている。
【００２６】
リール本体１は、水深表示部１５をさらに備えている。水深表示部１５は、釣り糸の先端に装着された仕掛けの水深を表示する。水深表示部１５は、第１リール本体部１１と第２リール本体部１２とに架けられるように取り付けられている。また、水深表示部１５は、釣竿装着部１３と反対側に配置されている。
【００２７】
図５に示すように、水深表示部１５は、ケース部１５１、リール制御部１５２、表示器１５３、主回路基板１５４と、副回路基板１５５と、モータ駆動回路１５６と、スイッチ部１５７とを有する。なお、リール制御部１５２、表示器１５３、主回路基板１５４、副回路基板１５５、及びモータ駆動回路１５６は、ケース部１５１内に収容されている。
【００２８】
ケース部１５１は、第１側板１１ａ及び第２側板１２ａの上部に載置される。ケース部１５１は、第１側板１１ａ及び第２側板１２ａに固定されている。スイッチ部１５７は、表示操作を行うための複数の操作ボタンを有している。
【００２９】
リール制御部１５２は、例えば、マイクロコンピュータによって構成される。表示器１５３は、水深表示用の液晶ディスプレイから構成される。主回路基板１５４には、リール制御部１５２と、表示器１５３と、モータ駆動回路１５６と、が搭載される。副回路基板１５５には、位相検出部１５８が搭載される。副回路基板１５５は、主回路基板１５４と電気的に接続される。副回路基板１５５は、主回路基板１５４に対して直交して配置される。
【００３０】
図３に示すように、ケース部１５１は、ケース本体部１５１ａ、第１脚部１５１ｂ、及び第２脚部１５１ｃを有している。ケース本体部１５１ａ内に、リール制御部１５２、表示器１５３、主回路基板１５４、及びモータ駆動回路１５６が収容されている。第１脚部１５１ｂ及び第２脚部１５１ｃは、ケース本体部１５１ａから後方に延びている。なお、第１脚部１５１ｂは、第１リール本体部１１の一部であり、第２脚部１５１ｃは、第２リール本体部１２の一部である。
【００３１】
図４に示すように、第１脚部１５１ｂは、基板収容空間１５１ｄを有している。基板収容空間１５１ｄは、下方に開口している。この基板収容空間１５１ｄに、副回路基板１５５、及び位相検出部１５８が収容される。
【００３２】
スプール２は、第１リール本体部１１と第２リール本体部１２との間に配置されている。詳細には、スプール２は、略円筒状であって軸方向に延びている。スプール２は、スプール軸２０に取り付けられている。すなわち、スプール２は、スプール軸２０と一体的に回転する。
【００３３】
スプール軸２０は、第１リール本体部１１と第２リール本体部１２とによって回転可能に支持されている。詳細には、スプール軸２０は、軸受部材１０２ａ，１０２ｂを介して、第１リール本体部１１及び第２リール本体部１２に支持されている。
【００３４】
スプール２は、円筒部２２と、第１フランジ部２３、第２フランジ部２４を有している。第１フランジ部２３及び第２フランジ部２４は、円筒部２２の両端部から径方向外側に延びている。詳細には、第１フランジ部２３は、円筒部２２の第１リール本体部１１側の端部に形成されている。また、第２フランジ部２４は、円筒部２２の第２リール本体部１２側の端部に形成されている。
【００３５】
モータ３は、スプール２を回転駆動する。図５に示すように、モータ３は、例えば、スプール２の前方において、リール本体１内に収容されている。モータ３の回転軸は、スプール軸２０と平行に延びている。
【００３６】
調整部材４は、モータ３の出力を調整するために使用者に操作される部材である。図４に示すように、調整部材４は、第１リール本体部１１において釣竿装着部１３と反対側の面に配置されている。すなわち、釣竿装着部１３を下にして電動リール１００を置いた状態において、調整部材４は、第１リール本体部１１の上面に配置されている。
【００３７】
調整部材４は、回転可能に第１リール本体部１１に取り付けられる。詳細には、第１リール本体部１１の一部である第１脚部１５１ｂに回転可能に取り付けられている。使用者が調整部材４を回転操作することによって、モータ３の出力が調整される。すなわち、調整部材４の回転位置に応じてモータ３の出力が調整される。
【００３８】
調整部材４には、検出子４１が取り付けられている。位相検出部１５８は、検出子４１の位相検出部１５８に対する相対的な回転位相を検出可能である。リール制御部１５２は、モータ３の出力を調整部材４の回転位置に応じて複数段階に調整するモータ制御部の機能を有する。例えば、スプール２の回転速度が複数段階に調整される。また、例えば、釣り糸に作用する張力が複数の段階に調整される。なお、リール制御部１５２は、水深表示部１５を表示制御する表示制御機能も有する。
【００３９】
調整部材４は、第１リール本体部１１から少なくとも一部が突出している。詳細には、調整部材４は、円筒状である。調整部材４の回転軸は、スプール軸２０と平行に延びている。この調整部材４の外周部の一部が、第１リール本体部１１から上方に突出している。
【００４０】
図１に示すように、ハンドル５は、スプール２を回転させるための部材であって、リール本体１に回転可能に装着されている。ハンドル５は、例えば、第１リール本体部１１に回転可能に装着されている。図３に示すように、ハンドル５を回転させることによって、駆動軸１０１ａ及び駆動ギア１０１ｂが回転し、ピニオンギア１０１ｃが回転する。
【００４１】
クラッチ機構６は、ハンドル５とスプール２との間で回転を伝達する伝達状態及び回転を遮断する遮断状態に切り替わる。詳細には、クラッチ機構６は、ピニオンギア１０１ｃに形成された係合部１０１ｄと、スプール軸２０の係合ピン１０１ｅ（図４参照）とによって構成される。ピニオンギア１０１ｃが軸方向の第１リール本体部１１側に移動すると、係合部１０１ｄと係合ピン１０１ｅとが係合する。これによって、ハンドル５とスプール２とが連結される。すなわち、クラッチ機構６は伝達状態となり、ハンドル５とスプール２との間で回転が伝達される。一方、ピニオンギア１０１ｃが軸方向の第２リール本体部１２側に移動すると、係合部１０１ｄと係合ピン１０１ｅとの係合が解除される。これによって、ハンドル５とスプール２との連結が遮断される。すなわち、クラッチ機構６は遮断状態となり、ハンドル５とスプール２との間で回転の伝達が遮断される。例えば、釣糸繰り出し時にスプール２が回転しても、ハンドル５は回転しない。
【００４２】
図３に示すように、クラッチ操作部材７は、クラッチ機構６の状態を切り換えるために使用者に操作される部材である。使用者がクラッチ操作部材７を操作することによって、クラッチ機構６の状態を、伝達状態と遮断状態との間で切り換える。
【００４３】
クラッチ操作部材７は、回転軸周りに揺動可能である。図２に示すように、クラッチ操作部材７は、クラッチ切操作部７１と、クラッチ入り操作部７２と、を有している。
【００４４】
クラッチ切操作部７１は、スプール２の後方に配置されている。また、クラッチ切操作部７１は、第１リール本体部１１と第２リール本体部１２との間を延びている。使用者は、このクラッチ切操作部７１を押し下げるように操作することによって、クラッチ機構６は遮断状態となる。すなわち、クラッチ切操作部７１が釣竿装着部１３に近付くように移動することによって、クラッチ機構６は遮断状態となる。
【００４５】
クラッチ入り操作部７２は、クラッチ機構６を伝達状態にする際に、使用者に操作される部分である。具体的には、使用者は、このクラッチ入り操作部７２を前方に向かって押すことによって、クラッチ機構６は伝達状態となる。すなわち、クラッチ入り操作部７２が前方に移動することによって、クラッチ機構６は、伝達状態となる。
【００４６】
図５に示すように、クラッチ入り操作部７２は、調整部材４に近接して配置されている。また、クラッチ入り操作部７２は、第１リール本体部１１に沿って配置されるとともに、スプール２の外周部に沿って配置されている。詳細には、クラッチ入り操作部７２は、スプール２の第１フランジ部２３の外周に沿って延びている。また、図２に示すように、電動リール１００を水深表示部１５側から見た場合、クラッチ入り操作部７２は、スプール２と第1リール本体部１１との間に配置されている。
【００４７】
クラッチ入り操作部７２は、周方向において、第１リール本体部１１に沿ってクラッチ切操作部７１から調整部材４まで延びる。具体的には、図２に示すように、電動リール１００を水深表示部１５側から見た場合、調整部材４とクラッチ入り操作部７２とは軸方向に並んでいる。
【００４８】
クラッチ入り操作部７２は、径方向視において、第１リール本体部１１と少なくとも一部が重なる。より詳細には、クラッチ入り操作部７２の一部は、径方向視において、第１脚部１５１ｂと重なっている。
【００４９】
クラッチ入り操作部７２は、第２リール本体部１２に向かって突出する。詳細には、クラッチ入り操作部７２の先端部７２ａは、第２リール本体部１２に向かって突出する。すなわち、先端部７２ａは、軸方向に突出している。使用者は、この先端部７２ａを前方に向かって押すことによって、クラッチ機構６を伝達状態とすることができる。
【００５０】
図３に示すように、クラッチ操作部材７は、ベースプレート７３をさらに有している。ベースプレート７３に、クラッチ切操作部７１が取り付けられている。ベースプレート７３は、第１リール本体部１１と第２リール本体部１２との間を延びている。ベースプレート７３は、第１ガイド溝１１１と第２ガイド溝１２１とによって摺動可能に支持されている。なお、第１ガイド溝１１１は、第１リール本体部１１の第１側板１１ａに形成されており、周方向に延びている。また、第２ガイド溝１２１は、第２リール本体部１２の第２側板１２ａに形成されており、周方向に延びている。
【００５１】
ベースプレート７３は、装着部７３ａを有している。装着部７３ａは、リール本体１に装着される部分である。装着部７３ａは、リール本体１に回転可能に装着される。詳細には、装着部７３ａは、取り付け板１１ｃに装着される。取り付け板１１ｃは、第１側板１１ａに固定されている。取り付け板１１ｃは、ボス部１１ｄを有している。ボス部１１ｄは、円筒状であって、軸方向の外側に突出している。装着部７３ａは中央部に開口を有している。この装着部７３ａの開口内にボス部１１ｄが挿入されることによって、装着部７３ａはボス部１１ｄに回転可能に装着される。
【００５２】
クラッチ操作部材７は、リンク機構８を介して、クラッチ機構６を操作する。詳細には使用者がクラッチ操作部材７を操作することによって、ピニオンギア１０１ｃが軸方向に移動し、クラッチ機構６が伝達状態又は遮断状態に切り替わる。リンク機構８は、クラッチカム８１、押さえ板８２、及びクラッチヨーク８３を有している。
【００５３】
クラッチカム８１は、ベースプレート７３と連動して回転する。クラッチカム８１は、回転軸Ｏを中心に回転可能に配置されている。クラッチカム８１は、取り付け板１１ｃに回転可能に取り付けられている。詳細には、クラッチカム８１は中央部に開口を有している。この開口に、取り付け板１１ｃのボス部１１ｄが挿入されることによって、クラッチカム８１はボス部１１ｄに回転可能に装着されている。
【００５４】
クラッチカム８１は、カム面８１ａ及び突出部８１ｂを有している。カム面８１ａは、クラッチヨーク８３を軸方向の外側に押圧するように構成されている。具体的には、軸方向の外側から見て、クラッチカム８１が反時計回りに回転すると、カム面８１ａがクラッチヨーク８３を軸方向の外側に押圧し、クラッチヨーク８３は軸方向の外側に移動する。クラッチカム８１は、例えば合成樹脂製である。
【００５５】
突出部８１ｂは、半径方向外側に突出した部分であって、後述するリターン部材８４が装着される部分である。クラッチカム８１は、係合凸部８１ｃをさらに有している。係合凸部８１ｃは、軸方向の内側に突出している。この係合凸部８１ｃが、ベースプレート７３の係合穴７３ｂと係合する。この係合によって、ベースプレート７３とクラッチカム８１とは、回転軸Ｏを中心に一体的に回転する。
【００５６】
クラッチヨーク８３は、係合部８３ａを有する。このクラッチヨーク８３の係合部８３ａにカム面８１ａが係合することによって、クラッチヨーク８３が軸方向の外側に押圧される。クラッチヨーク８３は、押さえ板８２によって軸方向に移動可能に支持されている。なお、押さえ板８２は、ベースプレート７３及びクラッチカム８１の各開口部内に配置されている。また、押さえ板８２は、取り付け板１１ｃに固定されている。
【００５７】
押さえ板８２は、軸方向に延びる複数のピン８２ａを有している。各ピン８２ａは、軸方向の外側に延びている。クラッチヨーク８３は、各ピン８２ａと対応する位置に貫通孔８３ｂを有している。この各貫通孔８３ｂに各ピン８２ａが挿入されることによって、クラッチヨーク８３は軸方向に移動可能に支持されている。
【００５８】
クラッチヨーク８３は、ピニオンギア１０１ｃのくびれ部１０１ｆに係合するように構成されている。このため、ピニオンギア１０１ｃは、クラッチヨーク８３と連動して軸方向に移動する。なお、ピニオンギア１０１ｃが回転しても、クラッチヨーク８３は回転しないように構成されている。クラッチヨーク８３は、付勢部材によって軸方向の内側に付勢されている。詳細には、押さえ板８２の各ピン８２ａに支持される複数のコイルバネ８２ｂが、クラッチヨーク８３を軸方向の内側に付勢する。
【００５９】
通常状態では、クラッチヨーク８３は、各コイルバネ８２ｂによって軸方向の内側に付勢されている。このため、ピニオンギア１０１ｃの係合部１０１ｄは、スプール軸２０の係合ピン１０１ｅと係合している。すなわち、クラッチ機構６は、ハンドル５とスプール２とを連結している。これに対して、クラッチ操作部材７を操作して、クラッチヨーク８３を軸方向の外側に移動させると、ピニオンギア１０１ｃの係合部１０１ｄと、係合ピン１０１ｅとの係合が外れる。この結果、クラッチ機構６は、ハンドル５とスプール２との連結を遮断する。
【００６０】
リターン部材８４は、クラッチカム８１の突出部８１ｂに揺動可能に装着されている。リターン部材８４は爪部８４ｂを有している。爪部８４ｂは、駆動軸１０１ａと一体的に回転するラチェットホイール１０１ｇの外周部に当接している。リターン部材８４は、トグルばね８４ａにより揺動方向の両方向に振り分けて付勢されている。ラチェットホイール１０１ｇの回転によって、リターン部材８４の爪部８４ｂが押圧されることによって、クラッチカム８１が軸方向の内側へと移動させられる。すなわち、クラッチカム８１は、クラッチオフ位置からクラッチオン位置へと戻される。
【００６１】
［変形例］
以上、本発明の実施形態について説明したが、本発明はこれらに限定されるものではなく、本発明の趣旨を逸脱しない限りにおいて種々の変更が可能である。例えば、上記実施形態では、第１リール本体部１１にハンドル５が装着されているが、ハンドル５は第２リール本体部１２に装着されていてもよい。すなわち、第２リール本体部１２内に回転伝達機構１０１などが収容されていてもよい。
【００６２】
また、上記実施形態では、クラッチ切操作部７１とクラッチ入り操作部７２とが一つの部材によって形成されていたが、特にこれに限定されない。例えば、クラッチ切操作部７１とクラッチ入り操作部７２とは、別々の部材によって構成されていてもよい。この場合、クラッチプレート７３を介して、クラッチ切操作部７１とクラッチ入り操作部７２とが連動してもよい。
【符号の説明】
【００６３】
１    リール本体
１１    第１リール本体部
１２    第２リール本体部
２    スプール
３    モータ
４    調整部材
５    ハンドル
６    クラッチ機構
７１    クラッチ切操作部
７２    クラッチ入り操作部
【図１】
0006467230.tif 000002
【図２】
0006467230.tif 000003
【図３】
0006467230.tif 000004
【図４】
0006467230.tif 000005
【図５】
0006467230.tif 000006